(57)【要約】【課題】本発明は固定の読取手段の読み取る白基準部上のゴミ、埃等の汚れによる影響を除去して適切にシェーディング補正する画像読取装置を提供する。【解決手段】画像読取装置１は、第２ＣＣＤ２１の読取位置と当該読取位置から外れた待機位置との間を移動可能に、かつ、白色に施されてシェーディングデータを提供する面が原稿搬送路とは反対側に面する状態で、白基準部２２が配設され、当該白基準部２２を第２ＣＣＤ２１の読取位置に移動させて、白基準部２２を第２ＣＣＤ２１で読み取ったデータをシェーディング補正用のシェーディングデータとして取得する。したがって、原稿Ｇの紙粉やローラの摩耗かす等が白基準部２２に付着して汚れることを防止して、高精度なシェーディングデータを取得し、スジやムラのない高品質な読取画像を得ることができる。【選択図】          図１
2004282135.tif 000002
【特許請求の範囲】
【請求項１】
少なくとも固定された読取手段が、当該読取手段の読取位置で、搬送される原稿の片面を読み取る画像読取装置において、前記読取手段の読取位置と当該読取位置から外れた待機位置との間を移動可能に、かつ、白色に施されてシェーディングデータを提供する面が原稿搬送路とは反対側に面する状態で、白基準部が配設され、当該白基準部を前記読取手段の読取位置に移動させて、当該白基準部を当該読取手段で読み取ったデータをシェーディング補正用のシェーディングデータとして取得することを特徴とする画像読取装置。
【請求項２】
前記画像読取装置は、前記読取手段で複数ライン分読み取り、当該読み取った複数ライン分のデータを平均化して前記シェーディングデータとして取得することを特徴とする請求項１記載の画像読取装置。
【請求項３】
前記画像読取装置は、前記白基準部を移動させながら前記読取手段で複数ライン分を読み取ることを特徴とする請求項２記載の画像読取装置。
【請求項４】
前記白基準部は、前記待機位置から前記読取位置へと高くなる傾斜を有したガイド部材に移動可能に支持されているとともに、移動手段により前記待機位置から前記読取位置に移動され、当該移動手段による移動力が解除されると、自重により前記読取位置から前記待機位置へと移動する状態で配設されており、前記画像読取装置は、前記移動手段で前記読取位置に移動して前記読取位置から前記待機位置へと自重で移動する前記白基準部を前記読取手段で複数ライン分読み取ることを特徴とする請求項２または請求項３記載の画像読取装置。
【請求項５】
前記白基準部は、少なくとも前記読取手段で読み取られる面が白色に施された白基準シートが板状透明部材で挟み込まれていることを特徴とする請求項１から請求項４のいずれかに記載の画像読取装置。
【請求項６】
前記画像読取装置は、前記白基準部に接触して当該白基準部の少なくとも前記読取手段の読み取る面の埃等を清掃する清掃部材が配設されており、当該清掃部材が、前記白基準部の移動に伴って当該白基準部を清掃することを特徴とする請求項１から請求項５のいずれかに記載の画像読取装置。
【発明の詳細な説明】
【０００１】
【発明の属する技術分野】
本発明は、画像読取装置に関し、詳細には、固定されている読取手段の読み取る白基準部上のゴミ、埃等の汚れによる影響を除去して適切にシェーディング補正する画像読取装置に関する。
【０００２】
【従来の技術】
【特許文献１】
特開２００１−１６４１２号公報
【特許文献２】
特開平５−３１９６１３号公報
近時、両面原稿の表裏面の画像を高速にかつ高品位に読み取る両面読取イメージスキャナが出現しており、この両面読取イメージスキャナは、一般的に、フラットベッドユニットとＡＤＦ（Ａｕｔｏ  Ｄｏｃｕｍｅｎｔ  Ｆｉｅｄｅｒ）ユニットを備えている。フラットベッドユニットは、コンタクトガラス上に、原稿の画像面を押圧させるようにセットして、コンタクトガラスの下面に沿って副走査方向に往復移動する第１の光学系が配置されて、コンタクトガラス上に手操作でセットされた原稿またはＡＤＦによりコンタクトガラス上に搬送されてきて載置されて停止している原稿を副走査方向に移動する第１の光学系で主走査及び副走査して原稿の画像の読み取りを行っている。また、ＡＤＦユニットには、上記フラットベッドユニットの第１の光学系が移動してきて搬送される原稿の一面を読み取るためのＡＤＦ読取ガラスが設けられているとともに、ＡＤＦ読取ガラスよりも原稿の搬送方向下流側に、搬送される原稿の他面の画像を読み取る第２の光学系が配設されている。
【０００３】
また、イメージスキャナにおいては、ランプの光量の変動及びＣＣＤ（Ｃｈａｒｇｅ  Ｃｏｕｐｌｅｄ  Ｄｅｖｉｃｅ  ）等の光電変換素子の感光画素の感度バラツキ等を補正するために、原稿読取前に白基準板を読み取って、当該白基準板を読み取ったときのデータをシェーディングデータとして、原稿の画像データをシェーディング補正している。
【０００４】
そして、両面読取イメージスキャナでは、光学系として、上述のように、フラットベッドユニットに設けられた第１の光学系とＡＤＦユニットに設けられた第２の光学系があり、第１の光学系用の第１の白基準板と第２の光学系用の第２の白基準板が配置されている。そして、第１の白基準板は、第１の光学系が、移動可能であるため、ゴミ、紙粉、埃等が付かないように、コンタクトガラスの下に配置され、第１の光学系を当該第１の白基準板の位置まで移動してランプを点灯して、当該第１の白基準板を所定量読み取る。第１の白基準板は、コンタクトガラスの下に配置されてゴミ等の付着を抑制しているが、ランプのガスや走査体の移動等により、少なからずゴミや埃等が付着する。そこで、従来から、両面読取イメージスキャナでは、第１の白基準板を読み取る際には、１ラインだけでなく、少なくとも数ミリ分のラインを読み取って取得したデータを平均化して、１ライン分のシェーディングデータを取得し、この１ライン分のシェーディングデータをメモリに格納して、原稿を読み取った画像データを当該メモリのシェーディングデータを用いてシェーディング補正している。
【０００５】
ところが、第２の光学系は移動できないため、特許文献１に記載されているように、第２の光学系の直下であって、原稿の搬送路上に第２の白基準板を配置し、原稿が第２の光学系の読取ライン上にないときに、第２の光学系で第２の白基準板を読み取って、シェーディングデータを取得している。
【０００６】
そして、第２の光学系で第２の白基準板を読み取るときには、第２の光学系が移動できないため、１ラインまたは同一ラインを複数回読み取って、シェーディングデータを取得する。
【０００７】
ところが、第２の光学系の読取ライン上にゴミや埃等があると、シェーディングデータが、本来の目的である光量の変動及びＣＣＤセンサの感光画素の感度バラツキ等を補正するデータから外れ、このようなシェーディングデータに基づいてシェーディング補正を行うと、読取画像にスジ等が発生して、読取画像の画質が悪化する。例えば、６００ｄｐｉの場合、１ラインが０．０４２３ｍｍであるので、１ラインの幅に相当する小さなゴミや埃であっても、画像に影響を与えることになる。
【０００８】
また、第２の白基準板は、原稿の通路である第２の光学系の直下に配設されているため、紙である原稿の紙粉が読取ライン上に発生しやすく、読取画像の画質を悪化させる頻度が高い。
【０００９】
そして、従来、第２の白基準板の代わりに、特許文献２に記載されているように、白色プラテンローラを用い、シェーディングデータを読み取るときには、当該白色プラテンローラを回転させて、第２の光学系の読取ライン上へのゴミや埃等の影響を抑制しているものがある。
【００１０】
【発明が解決しようとする課題】
しかしながら、このような特許文献２記載の従来技術を用いても、空気中には、少なからず塵や埃があり、白色プラテンローラに付着し、また、時間の経過とともに紙粉の白色プラテンローラへの付着やランプによる白色プラテンローラの焼けによる変色、ランプの発生するガスによる白色プラテンローラの劣化等により、第２の光学系による白色プラテンローラを読み取ったときのデータの濃度ムラが発生したり、汚れが発生する。
【００１１】
そのため、このような白色プラテンローラを第２の光学系で読み取ったデータをシェーディングデータとして用いてシェーディング補正すると、読取画像にも濃度ムラやスジが発生し、画像品質が悪化するという問題があった。
【００１２】
そこで、請求項１記載の発明は、少なくとも固定された読取手段が、当該読取手段の読取位置で、搬送される原稿の片面を読み取る際に、読取手段の読取位置と当該読取位置から外れた待機位置との間を移動可能に、かつ、白色に施されてシェーディングデータを提供する面が原稿搬送路とは反対側に面する状態で、白基準部を配設し、当該白基準部を読取手段の読取位置に移動させて、当該白基準部を当該読取手段で読み取ったデータをシェーディング補正用のシェーディングデータとして取得することにより、原稿の紙粉やローラの摩耗かす等が白基準部に付着して白基準部が汚れることを防止して、高精度なシェーディングデータを取得し、スジやムラのない高品質な読取画像を得ることのできる画像読取装置を提供することを目的としている。
【００１３】
請求項２記載の発明は、読取手段で複数ライン分読み取り、当該読み取った複数ライン分のデータを平均化してシェーディングデータとして取得することにより、非常に小さな埃等が白基準部の読取ライン上に付着している場合にも、高精度なシェーディングデータを取得し、スジやムラのない高品質な読取画像を得ることのできる画像読取装置を提供することを目的としている。
【００１４】
請求項３記載の発明は、白基準部を移動させながら読取手段で複数ライン分を読み取ることにより、非常に小さな埃等が白基準部の読取ライン上に付着している場合にも、高精度なシェーディングデータを取得し、スジやムラのない高品質な読取画像を得ることのできる画像読取装置を提供することを目的としている。
【００１５】
請求項４記載の発明は、白基準部を、待機位置から読取位置へと高くなる傾斜を有したガイド部材に移動可能に支持されているとともに、移動手段により待機位置から読取位置に移動され、当該移動手段による移動力が解除されると、自重により読取位置から待機位置へと移動する状態で配設されたものとし、移動手段で読取位置に移動して読取位置から待機位置へと自重で移動する白基準部を読取手段で複数ライン分読み取ることにより、安価な構成で高精度なシェーディングデータを取得し、スジやムラのない高品質な読取画像を得ることのできる安価な画像読取装置を提供することを目的としている。
【００１６】
請求項５記載の発明は、白基準部を、少なくとも読取手段で読み取られる面が白色に施された白基準シートが板状透明部材で挟み込まれたものとすることにより、空気中のゴミや埃等が白基準シートに付着すること及び白基準シートが変色したり傷つくことを確実に防止し、より一層高精度なシェーディングデータを取得し、スジやムラのないより一層高品質な読取画像を得ることのできる画像読取装置を提供することを目的としている。
【００１７】
請求項６記載の発明は、白基準部に接触して当該白基準部の少なくとも読取手段の読み取る面の埃等を清掃する清掃部材を配設し、当該清掃部材で、白基準部の移動に伴って白基準部を清掃することにより、板状透明部材に付着したゴミや埃等を自動的除去して、より一層高精度なシェーディングデータを取得し、スジやムラのないより一層高品質な読取画像を得ることのできる画像読取装置を提供することを目的としている。
【００１８】
【課題を解決するための手段】
請求項１記載の発明の画像読取装置は、少なくとも固定された読取手段が、当該読取手段の読取位置で、搬送される原稿の片面を読み取る画像読取装置において、前記読取手段の読取位置と当該読取位置から外れた待機位置との間を移動可能に、かつ、白色に施されてシェーディングデータを提供する面が原稿搬送路とは反対側に面する状態で、白基準部が配設され、当該白基準部を前記読取手段の読取位置に移動させて、当該白基準部を当該読取手段で読み取ったデータをシェーディング補正用のシェーディングデータとして取得することにより、上記目的を達成している。
【００１９】
上記構成によれば、少なくとも固定された読取手段が、当該読取手段の読取位置で、搬送される原稿の片面を読み取る際に、読取手段の読取位置と当該読取位置から外れた待機位置との間を移動可能に、かつ、白色に施されてシェーディングデータを提供する面が原稿搬送路とは反対側に面する状態で、白基準部を配設し、当該白基準部を読取手段の読取位置に移動させて、当該白基準部を当該読取手段で読み取ったデータをシェーディング補正用のシェーディングデータとして取得するので、原稿の紙粉やローラの摩耗かす等が白基準部に付着して白基準部が汚れることを防止して、高精度なシェーディングデータを取得することができ、スジやムラのない高品質な読取画像を得ることができる。
【００２０】
この場合、例えば、請求項２に記載するように、前記画像読取装置は、前記読取手段で複数ライン分読み取り、当該読み取った複数ライン分のデータを平均化して前記シェーディングデータとして取得するものであってもよい。
【００２１】
上記構成によれば、読取手段で複数ライン分読み取り、当該読み取った複数ライン分のデータを平均化してシェーディングデータとして取得するので、非常に小さな埃等が白基準部の読取ライン上に付着している場合にも、高精度なシェーディングデータを取得することができ、スジやムラのない高品質な読取画像を得ることができる。
【００２２】
また、例えば、請求項３に記載するように、前記画像読取装置は、前記白基準部を移動させながら前記読取手段で複数ライン分を読み取るものであってもよい。
【００２３】
上記構成によれば、白基準部を移動させながら読取手段で複数ライン分を読み取るので、非常に小さな埃等が白基準部の読取ライン上に付着している場合にも、高精度なシェーディングデータを取得することができ、スジやムラのない高品質な読取画像を得ることができる。
【００２４】
さらに、例えば、請求項４に記載するように、前記白基準部は、前記待機位置から前記読取位置へと高くなる傾斜を有したガイド部材に移動可能に支持されているとともに、移動手段により前記待機位置から前記読取位置に移動され、当該移動手段による移動力が解除されると、自重により前記読取位置から前記待機位置へと移動する状態で配設されており、前記画像読取装置は、前記移動手段で前記読取位置に移動して前記読取位置から前記待機位置へと自重で移動する前記白基準部を前記読取手段で複数ライン分読み取るものであってもよい。
【００２５】
上記構成によれば、白基準部を、待機位置から読取位置へと高くなる傾斜を有したガイド部材に移動可能に支持されているとともに、移動手段により待機位置から読取位置に移動され、当該移動手段による移動力が解除されると、自重により読取位置から待機位置へと移動する状態で配設されたものとし、移動手段で読取位置に移動して読取位置から待機位置へと自重で移動する白基準部を読取手段で複数ライン分読み取るので、安価な構成で高精度なシェーディングデータを取得することができ、スジやムラのない高品質な読取画像を得ることができる。
【００２６】
また、例えば、請求項５に記載するように、前記白基準部は、少なくとも前記読取手段で読み取られる面が白色に施された白基準シートが板状透明部材で挟み込まれているものであってもよい。
【００２７】
上記構成によれば、白基準部を、少なくとも読取手段で読み取られる面が白色に施された白基準シートが板状透明部材で挟み込まれたものとしているので、空気中のゴミや埃等が白基準シートに付着すること及び白基準シートが変色したり傷つくことを確実に防止することができ、より一層高精度なシェーディングデータを取得し、スジやムラのないより一層高品質な読取画像を得ることができる。
【００２８】
さらに、例えば、請求項６に記載するように、前記画像読取装置は、前記白基準部に接触して当該白基準部の少なくとも前記読取手段の読み取る面の埃等を清掃する清掃部材が配設されており、当該清掃部材が、前記白基準部の移動に伴って当該白基準部を清掃するものであってもよい。
【００２９】
上記構成によれば、白基準部に接触して当該白基準部の少なくとも読取手段の読み取る面の埃等を清掃する清掃部材を配設し、当該清掃部材で、白基準部の移動に伴って白基準部を清掃するので、板状透明部材に付着したゴミや埃等を自動的除去して、より一層高精度なシェーディングデータを取得することができ、スジやムラのないより一層高品質な読取画像を得ることができる。
【００３０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３１】
図１〜図６は、本発明の画像読取装置の一実施の形態を示す図であり、図１は、本発明の画像読取装置の一実施の形態を適用したＡＤＦを備えた画像読取装置１の要部正面概略構成図である。
【００３２】
図１において、画像読取装置１は、本体筐体２の上面部に図示しないコンタクトガラスと第１原稿ガラス３が配設されており、コンタクトガラス及び第１原稿ガラス３の下方の本体筐体２の内部に、第１ランプ４とミラー５等を搭載したキャリッジ６が配設され、さらに、第１レンズ７及び第１ＣＣＤ８等が配設されている。また、画像読取装置１は、本体筐体２内の上面部の第１原稿ガラス３に隣接して白基準板９が配設されており、キャリッジ６は、図示しないモータにより駆動されて、図１に矢印Ａで示す副走査方向に移動される。
【００３３】
画像読取装置１は、本体筐体２の上部にＡＤＦ（Ａｕｔｏ  Ｄｏｃｕｍｅｎｔ  Ｆｅｅｄｅｒ）１０が回動可能に取り付けられており、ＡＤＦ１０は、開くことで、図示しないコンタクトガラス上に原稿をセット可能となっていて、コンタクトガラス上に原稿がセットされた状態で閉じられると、当該原稿をコンタクトガラスに押しつける圧板の機能も有している。
【００３４】
ＡＤＦ１０は、図示しない原稿台、給紙ローラ１１、第１搬送ローラ１２、第２搬送ローラ１３、反射板１４、第３搬送ローラ１５、押し当てローラ１６、第２原稿ガラス１７、排紙ローラ１８、第２ランプ１９、第２レンズ２０、第２ＣＣＤ２１及び白基準ユニット２２が配設されている。
【００３５】
ＡＤＦ１０は、給紙ローラ１１により原稿台上にセットされた複数枚の原稿Ｇを１枚ずつ分離して、図１に矢印Ｂで示す搬送方向に沿って、第１搬送ローラ１２に送り出し、第１搬送ローラ１２が第２搬送ローラ１３へと原稿Ｇを搬送する。第２搬送ローラは、搬送されてきた原稿Ｇを第１原稿ガラス３に対向して配設されている反射板１４と第１原稿ガラス３との間に送り込み、さらに、第３搬送ローラ１５へと搬送する。
【００３６】
画像読取装置１は、第１原稿ガラス３と反射板１４との間を搬送される原稿Ｇの一面（例えば、表面）に第１ランプ４から光を照射して、原稿Ｇの一面（表面）で反射された反射光をミラー５でレンズ７方向に反射し、レンズ７で光を第１ＣＣＤ８に集光させて、第１ＣＣＤ８で光電変換することで、搬送される原稿Ｇの一面の画像を読み取る。
【００３７】
そして、第１ＣＣＤ８で原稿Ｇを読み取る際には、原稿Ｇを読み取る前に、白基準板９を読み取って、当該白基準板９を読み取ったときのデータをシェーディングデータとして記憶して、当該シェーディングデータに基づいて原稿Ｇを読み取ったときの画像データをシェーディング補正する。このとき、画像読取装置１は、白基準板９にゴミや埃等が付着して汚れている場合があるため、白基準板９を複数ラインにわたって読み取って、複数ライン分のデータを平均化してシェーディングデータとして採用する。
【００３８】
すなわち、画像読取装置１は、白基準板９を読み取るときには、キャリッジ６をその読取位置が白基準板９の位置にくるように移動させ、このキャリッジ６を移動させつつ白基準板９を複数ライン（ｎライン）にわたって読み取る。
【００３９】
ＡＤＦ１０は、第３搬送ローラ１５に搬送されてきた原稿Ｇを第３搬送ローラ１５により、第２原稿ガラス１７に押し当てられる状態で配設されている押し当てローラ１６と第２原稿ガラス１７との間に送り込み、さらに、排紙ローラ１８へと搬送し、排紙ローラ１８により読み取りの完了した原稿Ｇを図示しない排紙トレイ上に排出する。
【００４０】
そして、画像読取装置１は、押し当てローラ１６と第２原稿ガラス１７との間に搬送されてきた原稿Ｇを押し当てローラ１６により第２原稿ガラス１７に押し当てつつ搬送して、この搬送される原稿Ｇの他面（例えば、裏面）に第２ランプ１９から光を照射して、原稿Ｇの他面（裏面）で反射される反射光を第２レンズ２０で第２ＣＣＤ２１に集光し、第２ＣＣＤ２１で光電変換することで、搬送される原稿Ｇの他面の画像を読み取る。上記第２ランプ１９、第２レンズ２０及び第２ＣＣＤ２１、特に、第２ＣＣＤ２１は、読取手段として機能している。
【００４１】
そして、上記白基準ユニット２２は、図２〜図４に示すように、ソレノイド（移動手段）３１、ソレノイド３１のアーム３１ａに取り付けられた白基準部３２、除塵ブラシ３３、白基準部３２をガイドする一対のガイドレール（ガイド部材）３４、３５（図４参照）を備えており、図２及び図３に示すように、上記第２原稿ガラス１７が原稿Ｇの搬送方向下流側が上流側よりも高くなる状態で配設されていて、ガイドレール３４、３５は、この第２原稿ガラス１７の傾斜に沿って、原稿Ｇの搬送方向に延在する状態で配設されている。
【００４２】
白基準部３２は、図４に示すように、読取対象の原稿Ｇの最大サイズの原稿Ｇの幅を有しており、図２及び図３に示すように、少なくともその上面（第２ランプ１９側の面）の全面が白色に施された白基準シート３６が、板状透明部材である透明な上防塵ガラス３７と下防塵ガラス３８で挟まれて、塵、埃及び紙粉等が白基準シート３６に侵入しないように一体的に形成されている。この白基準部３２は、副走査方向（原稿Ｇの搬送方向）にわたって所定幅を有している。
【００４３】
白基準部３２は、ソレノイド３１のアーム３１ａに連結されており、ソレノイド３１がオフのときに、アーム３１ａへのソレノイド３１の駆動力が消滅して、図２に示す待機位置に位置し、ソレノイド３１がオンされているときに、ソレノイド３１のアーム３１ａに対する駆動力が作用して、図２及び図３に矢印Ｃで示すように、図３に示す白基準読取位置（第２ＣＣＤ２１の読取位置）に移動する。
【００４４】
そして、白基準部３２は、図３に示すソレノイド３１がオンの状態で、ソレノイド３１がオフされると、ガイドレール３４、３５が、ソレノイド３１側が低く、白基準読取位置側の白基準部３２の位置が高い位置となるように傾斜して配設されているため、図２に矢印Ｄで示すように、ガイドレール３４、３５に沿って滑らかにソレノイド３１方向に滑り落ちて、最終的に待機位置に復帰する。
【００４５】
白基準部３２が待機位置に位置するときには、図２に示すように、第２ＣＣＤ２１の読取位置から待避した位置となっている。すなわち、白基準部３２が待機位置に位置するときには、第２ランプ１９からの光が押し当てローラ１６により第２原稿ガラス１７に押し当てられている原稿Ｇに照射されて、原稿Ｇで反射された光が第２原稿ガラス１７を通過して、白基準部３２に遮蔽されることなく、レンズ２０を通して、第２ＣＣＤ２１に入射する。
【００４６】
また、白基準部３２が白基準読取位置に位置するときには、第２ランプ１９からの光が白基準部３２の上防塵ガラス３７を通過して白基準シート３６に照射され、白基準シート３６で反射されて、レンズ２０を通して、第２ＣＣＤ２１に入射される。
【００４７】
そして、画像読取装置１は、シェーディングデータを取得するときには、ソレノイド３１を一旦オンにして白基準部３２を白基準読取位置に移動させた後、ソレノイド３１をオフにする。ソレノイド３１がオフになると、白基準部３２は、上述のように、副走査方向（原稿Ｇの搬送方向）にわたって所定幅を有しており、ガイドレール３４、３５に沿って徐々に待機位置方向に移動するため、副走査方向の所定幅にわたって第２ランプ１９からの光が白基準シート３６に照射されて、白基準シート３６で反射された光がレンズ２０を通して第２ＣＣＤ２１に入力され、画像読取装置１は、この間のデータを複数ラインにわたって読み取って、シェーディングデータとして取得する。
【００４８】
上記除塵ブラシ（清掃部材）３３は、その先端部が白基準部３２の上防塵ガラス３７に接触する状態で配設されており、白基準部３２が待機位置と白基準読取位置を移動する際に、上防塵ガラス３７の上面に付着したゴミ、埃、紙粉等を除去する。
【００４９】
画像読取装置１は、図５に示すように、画像処理関係の回路が回路ブロック構成されており、上記第１ＣＣＤ８からの画像信号を処理する回路として、Ａ／Ｄ変換器４１、ｎラインメモリ４２、１ラインメモリ４３、シェーディング補正部４４等を有し、第２ＣＣＤ２１からの画像信号を処理する回路として、Ａ／Ｄ変換器４５、ｎラインメモリ４６、１ラインメモリ４７、シェーディング補正部４８及び画像メモリ４９等を有している。
【００５０】
画像読取装置１は、シェーディングデータ取得時には、まず、第１ＣＣＤ８で、上述のように、白基準板９を複数ライン（ｎライン）分読み取り、当該第１ＣＣＤ８で白基準板９をｎライン分読み取ったときのデータを順次Ａ／Ｄ変換器４１でデジタル変換して、ｎライン分をｎラインメモリ４２に格納し、このｎライン分のデータを各画素毎に平均化して、１ラインメモリ４３に格納する。また、第２ＣＣＤ２１で、上述のように、白基準部３２の白基準シート３６を複数ライン（ｎライン）分読み取り、当該第２ＣＣＤ２１で白基準シート３６をｎライン分読み取ったときのデータを順次Ａ／Ｄ変換器４５でデジタル変換して、ｎライン分をｎラインメモリ４６に格納し、このｎライン分のデータを各画素毎に平均化して、１ラインメモリ４７に格納する。
【００５１】
そして、画像読取装置１は、両面原稿Ｇを読み取るときには、第１ＣＣＤ８で両面原稿Ｇの一面（表面）の画像を読み取って、当該第１ＣＣＤ８の読み取った両面原稿Ｇの一面の画像データをＡ／Ｄ変換器４１でデジタル変換して、シェーディング補正部４４に出力し、シェーディング補正部４４で、当該両面原稿Ｇの一面の画像データを１ラインメモリ４３のシェーディングデータに基づいてシェーディング補正して外部に出力する。
【００５２】
また、画像読取装置１は、第２ＣＣＤ２１で両面原稿Ｇの他面（裏面）の画像を読み取って、当該第２ＣＣＤ２１の読み取った両面原稿Ｇの他面の画像データをＡ／Ｄ変換器４５でデジタル変換して、シェーディング補正部４８に出力し、シェーディング補正部４８で、当該両面原稿Ｇの他面の画像データを１ラインメモリ４７のシェーディングデータに基づいてシェーディング補正して、一旦画像メモリ４９に格納する。画像読取装置１は、第１ＣＣＤ８の読み取った両面原稿Ｇの一面の画像データをシェーディング補正して外部に出力した後、次に、第２ＣＣＤ２１が読み取りシェーディング補正して画像メモリ４９に格納した両面原稿Ｇの他面の画像データを外部に出力する。
【００５３】
次に、本実施の形態の作用を説明する。固定の読取手段である第２ＣＣＤ２１の読み取るシェーディングデータを、白基準部３２を移動させて複数ライン分読み取ったデータから取得して、白基準部３２が読み、埃等の汚れの影響を防止して、高精度なシェーディングデータを取得し、高精度なシェーディング補正を行う。
【００５４】
すなわち、画像読取装置１は、両面原稿Ｇを読み取る場合、図６に示すように、原稿台に両面原稿Ｇがセットされ、操作部で原稿Ｇの読み取りに必要な解像度、部数等がセットされた後、スタートキーが投入されると、画像読取装置１は、シェーディングデータを取得するために、まず、キャリッジ６を白基準板９の下に移動して（ステップＳ１０１）、第１ランプ４から白基準板９に光を照射してその反射光をミラー５、レンズ７を通して第１ＣＣＤ８に入射させて白基準板９を読み取る動作を、キャリッジ６を図１の矢印Ａ方向に移動させつつ行って、白基準板９の読み取りをｎライン分行う（ステップＳ１０２）。
【００５５】
画像読取装置１は、白基準板９をｎライン分読み取ると、当該読み取ったデータをＡ／Ｄ変換器４１でデジタル変換して順次ｎラインメモリ４２に保存し（ステップＳ１０３）、ｎライン分のデータをｎラインメモリ４２に保存すると、ｎラインメモリ４２のデータを画素毎に平均化処理して１ラインメモリ４３にシェーディングデータとして保存する（ステップＳ１０４）。
【００５６】
画像読取装置１は、シェーディングデータを１ラインメモリ４３に保存すると、キャリッジ６を第１原稿ガラス３の下に戻し（ステップＳ１０５）、原稿Ｇの読み取りの準備を行う。
【００５７】
次に、画像読取装置１は、ソレノイド３１をオンして（ステップＳ１０６）、白基準部３２を、待機位置から図２〜図４に矢印Ｃで示す白基準読取位置方向に移動させ（ステップＳ１０７）、その後、ソレノイド３１をオフにする（ステップＳ１０８）。
【００５８】
ソレノイド３１がオフになると、ガイドレール３４、３５が、ソレノイド３１側が低く、白基準読取位置側が高い位置となるように傾斜して配設されているため、図２〜図４に矢印Ｄで示すように、白基準部３２がガイドレール３４、３５に沿って滑らかにソレノイド３１方向に滑り落ちて、最終的に待機位置に復帰する。
【００５９】
画像読取装置１は、この図２〜図４に矢印Ｄで示すように、白基準部３２がガイドレール３４、３５に沿って滑らかにソレノイド３１方向に滑り落ちる白基準部３２の白基準シート３６に第２ランプ１９から光を照射してその反射光をレンズ２０を通して第２ＣＣＤ２１に入射させ、白基準シート３６をｎライン分読み取る（ステップＳ１０９）。
【００６０】
画像読取装置１は、白基準シート３６をｎライン分読み取ると、当該読み取ったデータをＡ／Ｄ変換器４５でデジタル変換して順次ｎラインメモリ４６に保存し（ステップＳ１１０）、ｎライン分のデータをｎラインメモリ４６に保存すると、ｎラインメモリ４６のデータを画素毎に平均化処理して１ラインメモリ４７にシェーディングデータとして保存する（ステップＳ１１１）。
【００６１】
画像読取装置１は、シェーディングデータを１ラインメモリ４７に保存すると、シェーディングデータの取得を完了したと判断して、給紙ローラ１１、第１搬送ローラ１２、第２搬送ローラ１３を回転駆動させ、原稿台上の両面原稿Ｇを１枚ずつ第１原稿ガラス３と反射板１４との間に搬送する（ステップＳ１１２）。画像読取装置１は、両面原稿Ｇが第１原稿ガラス３上に搬送されてくると、当該原稿Ｇの一面（表面）に、第１ランプ４から光を照射して、原稿Ｇの表面で反射された反射光をミラー５でレンズ７方向に反射し、レンズ７で光を第１ＣＣＤ８に集光させて、第１ＣＣＤ８で光電変換することで、搬送される両面原稿Ｇの表面の画像を読み取る（ステップＳ１１４）。
【００６２】
画像読取装置１は、第１ＣＣＤ８の出力する画像信号をＡ／Ｄ変換器４１でＡ／Ｄ変換して、原稿画像データとして、シェーディング補正部４４に出力し、シェーディング補正部４４でこの原稿画像データを１ラインメモリ４３のシェーディングデータに基づいてシェーディング補正して（ステップＳ１１５）、補正後の表面画像データを出力する（ステップＳ１１６）。
【００６３】
次に、画像読取装置１は、第３搬送ローラ１５を回転させ（ステップＳ１１７）、表面の読取の完了した両面原稿Ｇが第２原稿ガラス１７と押し当てローラ１６との間に搬送されてくると（ステップＳ１１８）、押し当てローラ１６を回転させながら両面原稿Ｇの他面（裏面）の画像を読み取る（ステップＳ１１９）。すなわち、このとき、白基準部３２は、待機位置に位置して、第２ランプ１９から出射される光は、白基準部３２に遮蔽されることなく、第２原稿ガラス１７と押し当てローラ１６の間を搬送される両面原稿Ｇの裏面に照射され、画像読取装置１は、この両面原稿Ｇの裏面で反射される反射光をレンズ２０を通して第２ＣＣＤ２１に入射して、第２ＣＣＤ２１で光電変換することで、搬送される両面原稿Ｇの裏面の画像を読み取る。
【００６４】
画像読取装置１は、第２ＣＣＤ２１の出力する画像信号をＡ／Ｄ変換器４５でＡ／Ｄ変換して、裏面画像データとして、シェーディング補正部４８に出力し、シェーディング補正部４８でこの裏面画像データを１ラインメモリ４７のシェーディングデータに基づいてシェーディング補正して（ステップＳ１２０）、補正後の裏面画像データを一旦画像メモリ４９に保存する（ステップＳ１２１）。
【００６５】
画像読取装置１は、排出ローラ１８を回転させて、読み取りの完了した両面原稿Ｇを排紙トレイ上に排出し（ステップＳ１２２）、表面画像データのシェーディング補正部４４からの出力が完了すると、画像メモリ４９に保存した裏面画像データを外部に出力して、１枚の裏面原稿Ｇの読取と画像データの出力を完了する（ステップＳ１２３）。
【００６６】
画像読取装置１は、原稿台に両面原稿Ｇが残っていると、ステップＳ１１２に戻って、上記同様に処理して、順次両面原稿Ｇの読み取りと画像データの出力を行い、全ての両面原稿Ｇの読み取りが完了すると、処理を終了する。
【００６７】
このように、本実施の形態の画像読取装置１は、第２ＣＣＤ２１の読取位置（白基準読取位置）と当該読取位置から外れた待機位置との間を移動可能に、かつ、白色に施されてシェーディングデータを提供する面が原稿搬送路とは反対側に面する状態で、白基準部２２を配設し、当該白基準部２２を第２ＣＣＤ２１の読取位置に移動させて、白基準部２２を第２ＣＣＤ２１で読み取ったデータをシェーディング補正用のシェーディングデータとして取得している。
【００６８】
したがって、原稿Ｇの紙粉やローラの摩耗かす等が白基準部２２に付着して白基準部２２が汚れることを防止して、高精度なシェーディングデータを取得することができ、スジやムラのない高品質な読取画像を得ることができる。
【００６９】
また、本実施の形態の画像読取装置１は、第２ＣＣＤ２１で複数ライン分読み取り、当該読み取った複数ライン分のデータを平均化してシェーディングデータとして取得している。
【００７０】
したがって、非常に小さな埃等が白基準部２２の読取ライン上に付着している場合にも、高精度なシェーディングデータを取得することができ、スジやムラのない高品質な読取画像を得ることができる。
【００７１】
さらに、本実施の形態の画像読取装置１は、白基準部２２を移動させながら第２ＣＣＤ２１で複数ライン分を読み取っている。
【００７２】
したがって、非常に小さな埃等が白基準部２２の読取ライン上に付着している場合にも、高精度なシェーディングデータを取得することができ、スジやムラのない高品質な読取画像を得ることができる。
【００７３】
また、本実施の形態の画像読取装置１は、白基準部２２を、待機位置から読取位置へと高くなる傾斜を有したガイド３４、３５に移動可能に支持されているとともに、ソレノイド３１により待機位置から読取位置に移動され、ソレノイド３１による移動力が解除されると、自重により読取位置から待機位置へと移動する状態で配設されたものとし、ソレノイド３１で読取位置に移動して読取位置から待機位置へと自重で移動する白基準部２２を第２ＣＣＤ２１で複数ライン分読み取っている。
【００７４】
したがって、安価な構成で高精度なシェーディングデータを取得することができ、スジやムラのない高品質な読取画像を得ることができる。
【００７５】
さらに、本実施の形態の画像読取装置１は、白基準部２２を、少なくとも第２ＣＣＤ２１で読み取られる面が白色に施された白基準シート３６が透明ガラス３７、３８で挟み込まれたものとしている。
【００７６】
したがって、空気中のゴミや埃等が白基準シート３６に付着すること及び白基準シート３６が変色したり傷つくことを確実に防止することができ、より一層高精度なシェーディングデータを取得し、スジやムラのないより一層高品質な読取画像を得ることができる。
【００７７】
また、本実施の形態の画像読取装置１は、白基準部２２に接触して白基準部２２の少なくとも第２ＣＣＤ２１の読み取る面の埃等を清掃する除塵ブラシ３３を配設し、除塵ブラシ３３で、白基準部２２の移動に伴って白基準部２２を清掃している。
【００７８】
したがって、透明ガラス３７、３８に付着したゴミや埃等を自動的除去して、より一層高精度なシェーディングデータを取得することができ、スジやムラのないより一層高品質な読取画像を得ることができる。
【００７９】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００８０】
例えば、上記実施の形態においては、両面原稿を読み取る画像読取装置１の固定されている第２ＣＣＤ２１部分に移動可能な白基準部２２を配設した場合について説明したが、両面原稿を読み取る画像読取装置に限るものではなく、例えば、片面原稿を固定されているＣＣＤ等の読取手段で読み取る画像読取装置にも同様に適用することができる。
【００８１】
【発明の効果】
請求項１記載の発明の画像読取装置によれば、少なくとも固定された読取手段が、当該読取手段の読取位置で、搬送される原稿の片面を読み取る際に、読取手段の読取位置と当該読取位置から外れた待機位置との間を移動可能に、かつ、白色に施されてシェーディングデータを提供する面が原稿搬送路とは反対側に面する状態で、白基準部を配設し、当該白基準部を読取手段の読取位置に移動させて、当該白基準部を当該読取手段で読み取ったデータをシェーディング補正用のシェーディングデータとして取得するので、原稿の紙粉やローラの摩耗かす等が白基準部に付着して白基準部が汚れることを防止して、高精度なシェーディングデータを取得することができ、スジやムラのない高品質な読取画像を得ることができる。
【００８２】
請求項２記載の発明の画像読取装置によれば、読取手段で複数ライン分読み取り、当該読み取った複数ライン分のデータを平均化してシェーディングデータとして取得するので、非常に小さな埃等が白基準部の読取ライン上に付着している場合にも、高精度なシェーディングデータを取得することができ、スジやムラのない高品質な読取画像を得ることができる。
【００８３】
請求項３記載の発明の画像読取装置によれば、白基準部を移動させながら読取手段で複数ライン分を読み取るので、非常に小さな埃等が白基準部の読取ライン上に付着している場合にも、高精度なシェーディングデータを取得することができ、スジやムラのない高品質な読取画像を得ることができる。
【００８４】
請求項４記載の発明の画像読取装置によれば、白基準部を、待機位置から読取位置へと高くなる傾斜を有したガイド部材に移動可能に支持されているとともに、移動手段により待機位置から読取位置に移動され、当該移動手段による移動力が解除されると、自重により読取位置から待機位置へと移動する状態で配設されたものとし、移動手段で読取位置に移動して読取位置から待機位置へと自重で移動する白基準部を読取手段で複数ライン分読み取るので、安価な構成で高精度なシェーディングデータを取得することができ、スジやムラのない高品質な読取画像を得ることができる。
【００８５】
請求項５記載の発明の画像読取装置によれば、白基準部を、少なくとも読取手段で読み取られる面が白色に施された白基準シートが板状透明部材で挟み込まれたものとしているので、空気中のゴミや埃等が白基準シートに付着すること及び白基準シートが変色したり傷つくことを確実に防止することができ、より一層高精度なシェーディングデータを取得し、スジやムラのないより一層高品質な読取画像を得ることができる。
【００８６】
請求項６記載の発明の画像読取装置によれば、白基準部に接触して当該白基準部の少なくとも読取手段の読み取る面の埃等を清掃する清掃部材を配設し、当該清掃部材で、白基準部の移動に伴って白基準部を清掃するので、板状透明部材に付着したゴミや埃等を自動的除去して、より一層高精度なシェーディングデータを取得することができ、スジやムラのないより一層高品質な読取画像を得ることができる。
【図面の簡単な説明】
【図１】本発明の画像読取装置の一実施の形態を適用した画像読取装置の要部正面概略構成図。
【図２】図１の画像読取装置の白基準部が待機位置に位置するときの白基準ユニット部分の拡大正面図。
【図３】図１の画像読取装置の白基準部が白基準読取位置に位置するときの白基準ユニット部分の拡大正面図。
【図４】図１の画像読取装置の白基準部が白基準読取位置に位置するときの白基準ユニット部分の拡大平面図。
【図５】図１の画像読取装置の画像処理関係の回路ブロック構成図。
【図６】図１の画像読取装置による両面原稿読取時のシェーディングデータ取得処理及び画像読取処理を示すフローチャート。
【符号の説明】
１  画像読取装置
２  本体筐体
３  第１原稿ガラス
４  第１ランプ
５  ミラー
６  キャリッジ
７  第１レンズ
８  第１ＣＣＤ
９  白基準板
１０  ＡＤＦ
１１  給紙ローラ
１２  第１搬送ローラ
１３  第２搬送ローラ
１４  反射板
１５  第３搬送ローラ
１６  押し当てローラ
１７  第２原稿ガラス
１８  排紙ローラ
１９  第２ランプ
２０  第２レンズ
２１  第２ＣＣＤ
２２  白基準ユニット
３１  ソレノイド
３１ａ  アーム
３２  白基準部
３３  除塵ブラシ
３４、３５  ガイドレール
３６  白基準シート
３７  上防塵ガラス
３８  下防塵ガラス
４１  Ａ／Ｄ変換器
４２  ｎラインメモリ
４３  １ラインメモリ
４４  シェーディング補正部
４５  Ａ／Ｄ変換器
４６  ｎラインメモリ
４７  １ラインメモリ
４８  シェーディング補正部
４９  画像メモリ
【図１】
2004282135.tif 000003
【図２】
2004282135.tif 000004
【図３】
2004282135.tif 000005
【図４】
2004282135.tif 000006
【図５】
2004282135.tif 000007
【図６】
2004282135.tif 000008